(57)【特許請求の範囲】
【請求項１】
文字板に形成された円環状の透過照明部の背後に位置するメータハウジング部分に、開口を前記透過照明部に臨ませて形成した環状溝の、前記透過照明部の周方向に複数に区画した各環状溝部分によって構成される複数の照明室のうち、前記透過照明部の照明用光源が配置される前記照明室の底面部の内側端に連なる内壁が、前記透過照明部と同心円上に位置する曲面によって構成された円弧状照明室に収容され、前記照明用光源から前記円弧状照明室の開口に前記透過照明部の透過照明光を導く導光部材であって、
前記円弧状照明室に収容した状態で前記照明用光源に臨み、該照明用光源からの透過照明光が入射される入射面部を有するベース面と、
前記円弧状照明室に収容した状態で該円弧状照明室の開口に位置して前記透過照明部の周方向における一部分に臨む出射面と、
前記円弧状照明室に収容した状態で前記透過照明部の周方向における前記ベース面の両側にそれぞれ連なる２つの反射面とを有し、
前記出射面のうち前記入射面部に対向する出射面部分に切欠部が形成されており、
前記切欠部は、前記各反射面に対応する左右対称形状の反射面部を有しており、
前記各反射面部は、前記出射面とのなす角度が相対的に大きい第２反射面と相対的に小さい第３反射面とを、前記円弧状照明室に収容した状態で前記透過照明部の周方向における前記反射面の中央側から端部側に向けて連設して構成されている、
ことを特徴とする円弧状照明室用導光部材。
【請求項２】
前記入射面部は、前記円弧状照明室に収容した状態で前記透過照明部の周方向における前記ベース面の中央側から前記各反射面側に向けて深さが次第に浅くなるように前記ベース面に形成された、半円状の凹部によって構成されており、該凹部は、前記円弧状照明室に収容した状態で前記照明用光源をほぼ中心とするように構成されている請求項１記載の円弧状照明室用導光部材。
【請求項３】
前記各反射面には、前記円弧状照明室に収容した状態で該円弧状照明室の底面部の取付孔に圧入される固定用ボスが突設されている請求項１又は２記載の円弧状照明室用導光部材。
【請求項４】
前記各反射面の前記ベース面寄り箇所には、前記円弧状照明室に収容した状態で該円弧状照明室の底面部に先端が当接する突起が設けられている請求項１、２又は３記載の円弧状照明室用導光部材。
【請求項５】
文字板に形成された円環状の透過照明部を、開口を前記透過照明部に臨ませて該透過照明部の背後に位置するメータハウジング部分に形成した環状溝内の照明用光源からの透過照明光により透過照明する車両用計器であって、
前記環状溝は、前記透過照明部の周方向に複数に区画されて複数の照明室を構成しており、
前記各照明室は、前記透過照明部に対向する底面部を有しており、
前記底面部は、前記照明用光源が配置される中央部と、前記透過照明部の周方向における前記中央部の両側にそれぞれ連なり前記照明用光源からの透過照明光を前記開口側に反射させる２つの反射面部とを有しており、
前記底面部の前記各反射面部は、前記中央部から離れるにつれて前記開口に近づくように傾斜して形成されており、
前記複数の照明室は、前記透過照明部の径方向における前記底面部の内側端に連なる内壁が、前記透過照明部と同心円上に位置する曲面によって構成された円弧状照明室を少なくとも１つ有しており、
前記円弧状照明室に、請求項１、２、３又は４記載の円弧状照明室用導光部材が収容されており、
前記円弧状照明室用導光部材の前記入射面部は、前記円弧状照明室に収容した状態で前記底面部の前記照明用光源に対向して配置され、
前記円弧状照明室用導光部材の前記各反射面は、前記円弧状照明室に収容した状態で前記底面部の前記各反射面部にそれぞれ対向して配置される、
ことを特徴とする車両用計器。
【発明の詳細な説明】
【技術分野】
【０００１】
本発明は、文字板の円環状の透過照明部を複数の照明用光源により透過照明する車両用計器と、この車両用計器において照明用光源からの透過照明光を透過照明部に導く導光部材とに関する。
【背景技術】
【０００２】
走行速度やエンジン回転数等の計測値を表示する車両用計器においては、従来からその見栄えの単調さを解消すべく種々の工夫が実施又は提案されており、その一例として、文字板の目盛に沿った円環状の透過照明による文字板の立体感の演出が挙げられる。
【０００３】
図４はそのような演出効果を図った従来の車両用計器の要部拡大截断分解斜視図であり、この車両用計器では、円形の文字板１の外周縁に目盛３ａ，３ｂ，…，３ｇが環状に配置され、その内側に数字５ａ，５ｂ，…，５ｇが配置され、さらにその内側の、指針７の回転範囲に、各種ウォーニングシンボル９ａ，９ｂ，…，９ｇが配置されている。
【０００４】
また、文字板１の目盛３ａ，３ｂ，…，３ｇと数字５ａ，５ｂ，…，５ｇとの間には、円環状のリング部１ａが配置されており、これらリング部１ａ、目盛３ａ，３ｂ，…，３ｇ、数字５ａ，５ｂ，…，５ｇ、ウォーニングシンボル９ａ，９ｂ，…，９ｇはいずれも、文字板１の背後からの透過照明光を透過させて透過照明されるように構成されている。
【０００５】
一方、文字板１が取り付けられるメータハウジング１１には、文字板１を取り付けた際にその数字５ａ，５ｂ，…，５ｇ及びウォーニングシンボル９ａ，９ｂ，…，９ｇの背後に位置する部分に開口を臨ませて、それぞれの透過照明用の光源（図示せず）を収容するためのランプボックス１３ａ，１３ｂ，…，１３ｇ，１５ａ，１５ｂ，…，１５ｇが形成されていると共に、リング部１ａの背後に位置する部分に開口を臨ませて、リング部１ａ及び目盛３ａ，３ｂ，…，３ｇの透過照明用の光源を収容するための環状溝１７が形成されている。
【０００６】
そして、リング部１ａは、ウォーニングシンボル９ａ，９ｂ，…，９ｇのように、ランプボックス１５ａ，１５ｂ，…，１５ｇ内の単一光源で透過照明を行う、という訳には行かないほど、その透過照明範囲が広いので、環状溝１７をリング部１ａの周方向に複数に区画して、それぞれの環状溝部分により複数の照明室１９ａ，１９ｂ，…，１９ｈを構成している。
【０００７】
この各照明室１９ａ，１９ｂ，…，１９ｈは、リング部１ａに臨む底面部２１を有しており、各底面部２１は、リング部１ａの透過照明用の光源である白色発光ダイオード２３ａ，２３ｂ，…，２３ｈが配置される中央部２１ａと、リング部１ａ（環状溝１７）の周方向における中央部２１ａの両側にそれぞれ連なり白色発光ダイオード２３ａ，２３ｂ，…，２３ｈからの透過照明光を開口側に反射させる２つの反射面部２１ｂ，２１ｂとを有していて、各反射面部２１ｂは、中央部２１ａから離れるにつれて開口に近づくように傾斜して形成されている。
【０００８】
そして、各照明室１９ａ，１９ｂ，…，１９ｈでは、白色発光ダイオード２３ａ，２３ｂ，…，２３ｈからの透過照明光を２つの反射面部２１ｂ，２１ｂにより環状溝１７の開口側に反射させるようにしており、この環状溝１７の開口側に反射された透過照明光により、メータハウジング１１に取り付けた文字板１のリング部１ａを、周方向に複数に分割した各分割領域毎に分担して透過照明するようにしている。
【発明の開示】
【発明が解決しようとする課題】
【０００９】
ところで、上述したウォーニングシンボル９ａ，９ｂ，…，９ｇは、デザイン上の理由や機能上の理由によってそれらの配置が決定されるが、その理由如何によっては、例えば図４の残燃料警告のウォーニングシンボル９ｇのように、他のウォーニングシンボル９ａ，９ｂ，…，９ｆよりも文字板１の外周縁寄りに配置されることがある。
【００１０】
その場合には、ウォーニングシンボル９ｇに対応するメータハウジング１１のランプボックス１５ｇも、他のウォーニングシンボル９ａ，９ｂ，…，９ｆに対応するランプボックス１５ａ，１５ｂ，…，１５ｆよりも環状溝１７寄りに配置されることになる。
【００１１】
そうすると、ランプボックス１５ｇに一番近い照明室１９ｈは、他の照明室１９ａ，１９ｂ，…，１９ｇのように、白色発光ダイオード２３ａ，２３ｂ，…，２３ｇからの透過照明光が中央部２１ａから最も離れた各反射面部２１ｂ，２１ｂ箇所に到達する妨げとならないように、内壁２５ａ，２５ｂ，…，２５ｇを平面状にカットして構成することができず、ランプボックス１５ｇを避けるように、リング部１ａと同心円上に位置する曲面で内壁２５ｈを構成しなければならなくなる。
【００１２】
すると、照明室１９ｈでは他の照明室１９ａ，１９ｂ，…，１９ｇよりも、白色発光ダイオード２３ｈからの透過照明光が中央部２１ａから離れた反射面部２１ｂ，２１ｂ箇所まで到達しづらくなり、その分、隣の照明室１９ａ，１９ｇの透過照明光で透過照明されるリング部１ａ部分に比べて、照明室１９ｈの透過照明光で透過照明されるリング部１ａ部分の方が輝度が低くなり、リング部１ａの透過照明にムラが生じてしまう。
【００１３】
本発明は前記事情に鑑みなされたもので、本発明の目的は、文字板の円環状の透過照明部を複数の透過照明用光源により分担して透過照明する際に、一部の透過照明部部分が他の透過照明部に近接していても、その透過照明部部分をそれ以外の透過照明部部分と同様に十分な輝度で透過照明して、透過照明部の全体を均一な輝度で透過照明できるようにすることができる導光部材と車両用計器とを提供することにある。
【課題を解決するための手段】
【００１４】
前記目的を達成する請求項１乃至請求項４に記載した本発明は、円弧状照明室用導光部材に関するものであり、請求項５に記載した本発明は車両用計器に関するものである。
【００１５】
そして、請求項１に記載した本発明の円弧状照明室用導光部材は、文字板に形成された円環状の透過照明部の背後に位置するメータハウジング部分に、開口を前記透過照明部に臨ませて形成した環状溝の、前記透過照明部の周方向に複数に区画した各環状溝部分によって構成される複数の照明室のうち、前記透過照明部の照明用光源が配置される前記照明室の底面の内側端に連なる内壁が、前記透過照明部と同心円上に位置する曲面によって構成された円弧状照明室に収容され、前記照明用光源から前記円弧状照明室の開口に前記透過照明部の透過照明光を導く導光部材であって、前記円弧状照明室に収容した状態で前記照明用光源に臨み、該照明用光源からの透過照明光が入射される入射面部を有するベース面と、前記円弧状照明室に収容した状態で該円弧状照明室の開口に位置して前記透過照明部の周方向における一部分に臨む出射面と、前記円弧状照明室に収容した状態で前記透過照明部の周方向における前記ベース面の両側にそれぞれ連なる２つの反射面とを有し、前記出射面のうち前記入射面部に対向する出射面部分に切欠部が形成されており、前記切欠部が、前記各反射面に対応する左右対称形状の反射面部を有しており、前記各反射面部が、前記出射面とのなす角度が相対的に大きい第２反射面と相対的に小さい第３反射面とを、前記円弧状照明室に収容した状態で前記透過照明部の周方向における前記反射面の中央側から端部側に向けて連設して構成されていることを特徴とする。
【００１６】
また、請求項２に記載した本発明の円弧状照明室用導光部材は、請求項１に記載した本発明の円弧状照明室用導光部材において、前記入射面部が、前記円弧状照明室に収容した状態で前記透過照明部の周方向における前記ベース面の中央側から前記各反射面側に向けて深さが次第に浅くなるように前記ベース面に形成された、半円状の凹部によって構成されており、該凹部が、前記円弧状照明室に収容した状態で前記照明用光源をほぼ中心とするように構成されている。
【００１７】
さらに、請求項３に記載した本発明の円弧状照明室用導光部材は、請求項１又は２に記載した本発明の円弧状照明室用導光部材において、前記各反射面に、前記円弧状照明室に収容した状態で該円弧状照明室の底面の取付孔に圧入される固定用ボスが突設されている構成とした。
【００１８】
また、請求項４に記載した本発明の円弧状照明室用導光部材は、請求項１、２又は３に記載した本発明の円弧状照明室用導光部材において、前記各反射面の前記ベース面寄り箇所に、前記円弧状照明室に収容した状態で該円弧状照明室の底面に先端が当接する突起が設けられている構成とした。
【００１９】
さらに、請求項５に記載した本発明の車両用計器は、文字板に形成された円環状の透過照明部を、開口を前記透過照明部に臨ませて該透過照明部の背後に位置するメータハウジング部分に形成した環状溝内の照明用光源からの透過照明光により透過照明する車両用計器であって、前記環状溝が、前記透過照明部の周方向に複数に区画されて複数の照明室を構成しており、前記各照明室が、前記透過照明部に対向する底面部を有しており、前記底面部が、前記照明用光源が配置される中央部と、前記透過照明部の周方向における前記中央部の両側にそれぞれ連なり前記照明用光源からの透過照明光を前記開口側に反射させる２つの反射面部とを有しており、前記底面部の前記各反射面部が、前記中央部から離れるにつれて前記開口に近づくように傾斜して形成されており、前記複数の照明室が、前記透過照明部の径方向における前記底面部の内側端に連なる内壁が、前記透過照明部と同心円上に位置する曲面によって構成された円弧状照明室を少なくとも１つ有しており、前記円弧状照明室に、請求項１、２、３又は４記載の円弧状照明室用導光部材が収容されており、前記円弧状照明室用導光部材の前記入射面部が、前記円弧状照明室に収容した状態で前記底面部の前記照明用光源に対向して配置され、前記円弧状照明室用導光部材の前記各反射面が、前記円弧状照明室に収容した状態で前記底面部の前記各反射面部にそれぞれ対向して配置されることを特徴とする。
【発明の効果】
【００２０】
請求項１に記載した本発明の円弧状照明室用導光部材によれば、円弧状照明室においては、照明用光源から出射されて導光部材の内部にベース面の入射面部から入射された透過照明光が、導光部材の出射面の切欠部の反射面部によって反射面の端部側に反射されるが、その中でも、出射面とのなす角度が相対的に大きい第２反射面では、反射面の比較的端部側に反射され、出射面とのなす角度が相対的に小さい第３反射面では、反射面の比較的中央側に反射される。
【００２１】
このため、導光部材がなければ比較的到達しにくい隣の照明室寄りの円弧状照明室部分にも透過照明光を十分に到達させて、円弧状照明室の照明用光源からの透過照明光によって透過照明される文字板の透過照明部の周方向における一部分が、他の照明室の照明用光源からの透過照明光によって透過照明される文字板の透過照明部の周方向における他の部分と同様の輝度で透過照明されるようにして、透過照明部の全体を均一な輝度でムラなく透過照明させることができる。
【００２２】
また、請求項２に記載した本発明の円弧状照明室用導光部材によれば、請求項１に記載した本発明の円弧状照明室用導光部材において、ベース面の入射面部が半円状の凹部によって構成されており、この凹部が、円弧状照明室に収容した状態で、透過照明部の周方向におけるベース面の中央側から各反射面側に向けて深さが次第に浅くなり、円弧状照明室の照明用光源をほぼ中心とするように形成されていることから、円弧状照明室の照明用光源から出射された透過照明光が導光部材の内部に入射される際の凹部に対する入射角が、透過照明部の周方向における透過照明光の凹部に対する入射位置に応じて異なることになる。
【００２３】
このため、円弧状照明室において、導光部材の内部に入射される際に照明用光源からの透過照明光の光路を透過照明部の周方向において拡散させて、隣の照明室寄りの円弧状照明室部分にも透過照明光をより一層効率よく到達させることができる。
【００２４】
さらに、請求項３に記載した本発明の円弧状照明室用導光部材によれば、請求項１又は２に記載した本発明の円弧状照明室用導光部材において、円弧状照明室に導光部材を収容すると、各反射面の固定用ボスが円弧状照明室の底面の取付孔に圧入されるので、導光部材を円弧状照明室に容易に組み付けて収容、固定することができる。
【００２５】
また、請求項４に記載した本発明の円弧状照明室用導光部材によれば、請求項１、２又は３に記載した本発明の円弧状照明室用導光部材において、円弧状照明室に導光部材を収容すると、各反射面のベース面寄り箇所に設けられた突起の先端が円弧状照明室の底面に当接し、その他の反射面部分は円弧状照明室の底面から離間して配置されるので、共に樹脂材料で形成されることが多い導光部材と円弧状照明室の底面とが面接触しないようにして、擦過音や振動音等の異音が発生するのを防止することができる。
【００２６】
さらに、請求項５に記載した本発明の車両用計器によれば、メータハウジングに形成された円環状の透過照明部をその周方向において複数に区画して構成した複数の照明室のうち、透過照明部と同心円上に位置する曲面によって内壁が構成された円弧状照明室において、請求項１、２、３又は４記載の円弧状照明室用導光部材によって奏される効果が得られる。
【発明を実施するための最良の形態】
【００２７】
以下、本発明の円弧状照明室用導光部材及び車両用計器の実施形態について、図面を参照して説明する。
【００２８】
図１は本発明の一実施形態に係る円弧状照明室用導光部材とこれを用いた車両用計器の要部拡大截断斜視図であり、図１中図４と同一の部分、部材には、それらの図で付したものと同一の引用符号を付して、重複する説明を省略する。
【００２９】
そして、本実施形態の車両用計器は、請求項中の円弧状照明室に相当する、ランプボックス１３ｆに一番近い照明室１９ｈの各反射面部２１ｂの、隣の照明室１９ａ，１９ｇ寄りの部分に、それぞれ取付孔２１ｃが形成されている点と、この照明室１９ｈに、透明樹脂製の導光部材２７が収容される点において、図４に示す従来の車両用計器と構成が異なっている。
【００３０】
前記導光部材２７は、図２の拡大断面図に示すように、照明室１９ｈに収容した状態でその中央部２１ａに対向するベース面２７ａと、照明室１９ｈに収容した状態でその開口に位置して文字板１のリング部１ａ（請求項中の透過照明部に相当）の周方向における一部分に臨む出射面２７ｂと、照明室１９ｈに収容した状態でリング部１ａの周方向におけるベース面２７ａの両側にそれぞれ連なる２つの反射面２７ｃ，２７ｃとを有している。
【００３１】
導光部材２７の出射面２７ｂのうちベース面２７ａに対向する長手方向中央の出射面２７ｂ部分には切欠部２７ｄが形成されており、この切欠部２７ｄは、各反射面２７ｃに対応する左右対称形状の反射面部２７ｅ，２７ｅを有している。
【００３２】
この各反射面部２７ｅは、出射面２７ｂとのなす角度が相対的に大きい第２反射面２７ｆと相対的に小さい第３反射面２７ｇとを、照明室１９ｈに導光部材２７を収容した状態でリング部１ａの周方向における反射面２７ｂの中央側から端部側に向けて連設して構成されている。
【００３３】
また、導光部材２７のベース面２７ａには、白色発光ダイオード２３ｈに臨んでこの白色発光ダイオード２３ｈからの透過照明光が入射される入射面部として、凹部２７ｊが形成されており、この凹部２７ｊは、照明室１９ｈに導光部材２７を収容した状態で、リング部１ａの周方向におけるベース面２７ａの中央側から各反射面２７ｃ側に向けて深さが次第に浅くなるように、白色発光ダイオード２３ｈをほぼ中心とする半円状に形成されている。
【００３４】
さらに、導光部材２７の各反射面２７ｃには、照明室１９ｈに収容した状態で、照明室１９ｈの各反射面部２１ｂの取付孔２１ｃに圧入される固定用ボス２７ｋがそれぞれ突設されており、この固定用ボス２７ｋよりもベース面２７ａ寄りの各反射面２７ｃ箇所には、図３の拡大断面図に示すように、照明室１９ｈに導光部材２７を収容した状態で照明室１９ｈの底面部２１の中央部２１ａのうち、白色発光ダイオード２３ｈの両脇の箇所に先端が当接する突起２７ｍが設けられている。
【００３５】
このように構成された本実施形態の車両用計器では、照明室１９ｈに導光部材２７を収容すると、各反射面２７ｃの固定用ボス２７ｋが照明室１９ｈの各反射面部２１ｂの取付孔２１ｃにそれぞれ圧入されて、導光部材２７が照明室１９ｈに容易に収容、固定される。
【００３６】
これと共に、固定用ボス２７ｋの取付孔２１ｃへの圧入部分を除くと、導光部材２７の照明室１９ｈに接触する部分が突起２７ｍの先端に限られることから、透明樹脂製の導光部材２７のベース面２７ａや各反射面２７ｃが、白色等の着色樹脂製であるメータハウジング１１の、それらベース面２７ａや各反射面２７ｃに対向する照明室１９ｈの底面部２１の中央部２１ａや各反射面部２１ｂに面接触して、擦過音や振動音等の異音を発生させることが、防止される。
【００３７】
そして、本実施形態の車両用計器では、ランプボックス１５ｇに一番近い照明室１９ｈを除く、他の各照明室１９ａ，１９ｂ，…，１９ｇの内壁２５ａ，２５ｂ，…，２５ｇが、白色発光ダイオード２３ａ，２３ｂ，…，２３ｇからの透過照明光が中央部２１ａから最も離れた各反射面部２１ｂ，２１ｂ箇所に到達する妨げとならないように、平面状にカットして構成されている。
【００３８】
このため、白色発光ダイオード２３ａ，２３ｂ，…，２３ｇからの透過照明光が、２つの反射面部２１ｂ，２１ｂにおいて全体的に均一な輝度で環状溝１７の開口側に反射され、この反射された透過照明光により、メータハウジング１１に取り付けた文字板１のリング部１ａのうち、各照明室１９ａ，１９ｂ，…，１９ｇの開口が臨むリング部１ａ部分が透過照明される。
【００３９】
これに対して、ランプボックス１５ｇに一番近い照明室１９ｈでは、白色発光ダイオード２３ｈからの透過照明光が、照明室１９ｈに収容、固定された導光部材２７のベース面２７ａに形成した凹部２７ｊから導光部材２７の内部に入射される。
【００４０】
その際、凹部２７ｊに対する白色発光ダイオード２３ｈからの透過照明光の入射角が、リング部１ａの周方向における透過照明光の凹部２７ｊに対する入射位置に応じて異なることになり、詳しくは、リング部１ａの周方向におけるベース面２７ａの中央寄りの凹部２７ｊ部分から導光部材２７の内部に入射された透過照明光ほど直進し、各反射面２７ｃ寄りの凹部２７ｊ部分から導光部材２７の内部に入射された透過照明光ほど、入射の際に出射面２７ｂの長手方向両端側寄りに光路が屈折することになる。
【００４１】
そして、各反射面２７ｃ寄りの凹部２７ｊ部分から導光部材２７の内部に入射されて出射面２７ｂの長手方向両端側寄りに光路が屈折した透過照明光は、その一部が文字板１のリング部１ａに向けて出射されると共に、他の一部は各反射面２７ｃ側に反射されてその端部側に向かう。
【００４２】
また、ベース面２７ａの中央寄りの凹部２７ｊ部分から入射して導光部材２７の内部を直進する透過照明光は、出射面２７ｂの切欠部２７ｄに達し、この切欠部２７ｄの各反射面部２７ｅによって対応する各反射面２７ｃの端部側に反射される。
【００４３】
その中でも、出射面２７ｂとのなす角度が相対的に大きい第２反射面２７ｆでは、反射面２７ｃの比較的端部側に反射され、出射面２７ｂとのなす角度が相対的に小さい第３反射面２７ｇでは、反射面２７ｃの比較的中央側に反射される。
【００４４】
これにより、リング部１ａと同心円上に位置する曲面で照明室１９ｈの内壁２５ｈが構成されていて、この内壁２５ｈの出っ張りにより白色発光ダイオード２３ｈからの透過照明光が遮られて各反射面２７ｃの端部側に到達しづらい構造の照明室１９ｈとなっているいるにも拘わらず、端部側を含めて各反射面２７ｃの全体に、白色発光ダイオード２３ｈからの透過照明光が満遍なく照射される。
【００４５】
このため、導光部材２７がなければ比較的到達しにくい隣の照明室１９ａ，１９ｇ寄りの照明室１９ｈ部分にも、透過照明光を十分に到達させて、照明室１９ｈの白色発光ダイオード２３ｈからの透過照明光によって透過照明される文字板１のリング部１ａの周方向における一部分が、他の照明室１９ａ，１９ｂ，…，１９ｇの白色発光ダイオード２３ａ，２３ｂ，…，２３ｇからの透過照明光によって透過照明される文字板１のリング部１ａの周方向における他の部分と同様の輝度で透過照明されるようにして、リング部１ａの全体を均一な輝度でムラなく透過照明させることができる。
【００４６】
尚、導光部材２７のベース面２７ａに凹部２７ｊを形成する構成を省略してベース面２７ａの全体を平坦に構成し、その一部分を、白色発光ダイオード２３ｈに臨んでこの白色発光ダイオード２３ｈからの透過照明光が入射される入射面部とするように構成してもよい。
【００４７】
しかし、本実施形態のようにベース面２７ａに凹部２７ｊを設ければ、ベース面２７ａの凹部２７ｊから導光部材２７の内部に白色発光ダイオード２３ｈからの透過照明光が入射される際に、その光路を一部、出射面２７ｂの長手方向両端側寄りに屈折させて、導光部材２７での内部反射により各反射面２７ｃの端部側に向かい易いようにし、透過照明光が比較的到達しにくい隣の照明室１９ａ，１９ｇ寄りの照明室１９ｈ部分にも透過照明光をより一層効率的に到達させて、各出射面２７ｃの全体から均一な輝度で透過照明光を文字板１のリング部１ａに向けて出射させることができるので、有利である。
【００４８】
また、導光部材２７を照明室１９ｈに収容した際に、導光部材２７の各反射面２７ｃの固定用ボス２７ｋを照明室１９ｈの各反射面部２１ｂの取付孔２１ｃにそれぞれ圧入させるための構成と、導光部材２７の各反射面２７ｃの突起２７ｍの先端を照明室１９ｈの底面部２１の中央部２１ａのうち、白色発光ダイオード２３ｈの両脇の箇所に当接させるための構成とは、一方又は両方を省略してもよい。
【００４９】
さらに、本発明は、導光部材を収容する照明室が複数存在する場合についても適用可能である。
【図面の簡単な説明】
【００５０】
【図１】本発明の一実施形態に係る円弧状照明室用導光部材とこれを用いた車両用計器の要部拡大截断斜視図である。
【図２】図１の導光部材の照明部への収容状態を示す拡大断面図である。
【図３】図２の導光部材における透過照明光の反射及び導光の状態を示す拡大断面図である。
【図４】従来の車両用計器の要部拡大截断分解斜視図である。
【符号の説明】
【００５１】
１  文字板
１ａ  リング部（透過照明部）
１１  メータハウジング
１７  環状溝
１９ａ，１９ｂ，…，１９ｇ  照明室
１９ｈ  照明室（円弧状照明室）
２１  底面部
２１ａ  中央部
２１ｂ  反射面部
２１ｃ  取付孔
２３ａ，２３ｂ，…，２３ｈ  白色発光ダイオード（照明用光源）
２５ｈ  内壁
２７  導光部材
２７ａ  ベース面
２７ｂ  出射面
２７ｃ  反射面
２７ｄ  切欠部
２７ｅ  反射面部
２７ｆ  第２反射面
２７ｇ  第３反射面
２７ｊ  凹部（入射面部）
２７ｋ  固定用ボス
２７ｍ  突起
【図１】
0004714578.tif 000002
【図２】
0004714578.tif 000003
【図３】
0004714578.tif 000004
【図４】
0004714578.tif 000005